(57)【要約】【課題】撮影された画像から、予めリンク情報が関連付けられて登録された接続コードを抽出し、接続コードに関連付けられたリンク情報を出力するリンク情報提供方法を提供する。【解決手段】本発明によるリンク情報提供方法は、予め特定のＷｅｂページなどの接続先を含むリンク情報と関連付けして情報リンク装置に登録され、特定のルールに従い配列された数字または文字を含む接続コードの入力に対応して関連付けられたリンク情報を出力するリンク情報提供方法であって、ユーザ端末にカメラ入力ボタンを含む接続コード入力画面を表示する段階と、カメラ入力ボタンが選択されるとレンズを通して入力される画像に撮影ボタンを重ねて表示する段階と、情報リンク装置が撮影された画像を受信して接続コードを抽出する段階と、抽出した接続コードに関連付けして登録されたリンク情報を検索してリンク情報が存在する有効な接続コードの場合、リンク情報を出力する段階とを有する。【選択図】図６
2019021064.tif 000002
【特許請求の範囲】
【請求項１】
予め特定のＷｅｂページまたは電子ファイルの接続先を含むリンク情報と関連付けして情報リンク装置に登録され、特定のルールに従い配列された数字または文字の配列を含む接続コードの入力に対応して関連付けられたリンク情報を出力するリンク情報提供方法であって、
ユーザ端末にカメラ入力ボタンを含む接続コード入力画面を表示する段階と、
カメラ入力ボタンが選択されるとレンズを通して入力される画像に撮影ボタンを重ね合わせて表示する段階と、
情報リンク装置がユーザ端末により撮影された画像を受信して文字認識により接続コードを抽出する段階と、
情報リンク装置が抽出した接続コードに基づき関連付けして登録されたリンク情報を検索してリンク情報が存在する有効な接続コードかどうかを判断し、有効な接続コードの場合、リンク情報を出力する段階と、を有することを特徴とするリンク情報提供方法。
【請求項２】
前記撮影ボタンを重ね合わせて表示する段階はレンズを通して入力される画像にクロスラインをさらに重ね合わせて表示する段階を含み、
前記接続コードを抽出する段階はクロスラインに少なくとも一部がかかる接続コードを抽出することを特徴とする請求項１に記載のリンク情報提供方法。
【請求項３】
前記クロスラインは縦線と横線からなり、少なくとも縦線または横線の長さが可変であることを特徴とする請求項２に記載のリンク情報提供方法。
【請求項４】
前記有効な接続コードが複数抽出された場合、いずれかを選択するための画面をユーザ端末に表示させる段階をさらに有することを特徴とする請求項１乃至３のいずれか１項に記載のリンク情報提供方法。
【請求項５】
前記接続コードは特定の文字と記号を含む固定フォーマットのリンクコードか、電話番号か、ＷｅｂページのＵＲＬのうちの少なくともいずれか一つを含むことを特徴とする請求項１乃至４のいずれか１項に記載のリンク情報提供方法。
【発明の詳細な説明】
【技術分野】
【０００１】
本発明は、リンク情報提供方法に関し、特に撮影された画像から、予めリンク情報が関連付けられて登録された接続コードを抽出して、接続コードに関連付けられたリンク情報を出力するリンク情報提供方法に関する。
【背景技術】
【０００２】
インターネットの普及により、様々な情報がＷｅｂサイトを通じて容易に閲覧できたり入手できたりするようになっている。ユーザは情報を入手しようとするとき、Ｗｅｂサイトの接続先が既知の場合は、そのＵＲＬを入力することで、１回で直接に求めるＷｅｂサイトを閲覧することができる。しかしＵＲＬはアルファベットを含む文字列の入力が必要であり、ＵＲＬの長いものでは入力が容易でないばかりか入力ミスを起こしやすい。そこで文字認識技術を生かして、ＵＲＬを含む画像を撮影し、その中からＵＲＬを抽出して出力する取り組みが行われている。
【０００３】
特許文献１には、カメラによって撮像された画像から文字列を抽出する抽出手段と、抽出手段によって抽出された文字列がＵＲＬであるかどうか解釈する解釈手段とを有するＵＲＬ取得システムが開示されており、解釈されたアドレスのリンク先にアクセス処理を自動的に行うことが可能となることも記載されている。
特許文献１によればＵＲＬを１文字ずつ入力しなくても、撮影画像から抽出されるために入力の手間やミスを省くことができるが、ＵＲＬ自体が簡便になるわけではないので、例えば電話で話したり紙に書いたりしてＵＲＬを他人に伝えようとすると容易ではない。
【０００４】
こうした問題を解決するために、特許文献２では、ＵＲＬなどの接続先情報（リンク情報）を固定フォーマットに構成されたリンクコードに関連付け、リンクコードで所望のＷｅｂページやファイルの接続先を提供する情報リンクシステムが開示されている。
特許文献２によれば、長いＵＲＬでも情報提供者が事前に登録しておくことにより、閲覧希望のユーザは、９桁の数字入力でそのＵＲＬを入手してそのＷｅｂページを表示することができる。特許文献２には画像取得部を備えたユーザ端末で、リンクコードを撮影することでリンクコードを認識してユーザ端末にリンクコードが表示されることも記載されている。しかし認識されるのは固定フォーマットのリンクコードの場合であり、別の形式のデータには対応できない。またリンクコードは発行された後からリンク情報を登録したり削除したりするため発行されたリンクコードが、すべてリンク情報が登録された有効なものとは限らない。
このため、より応用範囲が広く効率的なリンク情報提供方法が望まれる。
【先行技術文献】
【特許文献】
【０００５】
【特許文献１】特開２００２−１６３６０４号公報
【特許文献２】特開２０１６−２１８５８５号公報
【発明の概要】
【発明が解決しようとする課題】
【０００６】
本発明は、上記従来のリンク情報提供方法における問題点に鑑みてなされたものであって、本発明の目的は、撮影された画像から、予めリンク情報が関連付けられて登録された接続コードを抽出して、接続コードに関連付けられたリンク情報を出力するリンク情報提供方法を提供することにある。
【課題を解決するための手段】
【０００７】
上記目的を達成するためになされた本発明によるリンク情報提供方法は、予め特定のＷｅｂページまたは電子ファイルの接続先を含むリンク情報と関連付けして情報リンク装置に登録され、特定のルールに従い配列された数字または文字の配列を含む接続コードの入力に対応して関連付けられたリンク情報を出力するリンク情報提供方法であって、ユーザ端末にカメラ入力ボタンを含む接続コード入力画面を表示する段階と、カメラ入力ボタンが選択されるとレンズを通して入力される画像に撮影ボタンを重ね合わせて表示する段階と、情報リンク装置がユーザ端末により撮影された画像を受信して文字認識により接続コードを抽出する段階と、情報リンク装置が抽出した接続コードに基づき関連付けして登録されたリンク情報を検索してリンク情報が存在する有効な接続コードかどうかを判断し、有効な接続コードの場合、リンク情報を出力する段階と、を有することを特徴とする。
【０００８】
前記撮影ボタンを重ね合わせて表示する段階はレンズを通して入力される画像にクロスラインをさらに重ね合わせて表示する段階を含み、前記接続コードを抽出する段階はクロスラインに少なくとも一部がかかる接続コードを抽出することが好ましい。
前記クロスラインは縦線と横線からなり、少なくとも縦線または横線の長さが可変であることが好ましい。
【０００９】
前記有効な接続コードが複数抽出された場合、いずれかを選択するための画面をユーザ端末に表示させる段階をさらに有することが好ましい。
前記接続コードは特定の文字と記号を含む固定フォーマットのリンクコードか、電話番号か、ＷｅｂページのＵＲＬのうちの少なくともいずれか一つを含むことが好ましい。
【発明の効果】
【００１０】
本発明に係るリンク情報提供方法によれば、ユーザは接続コードを直接入力する代わりに、接続コードが表示された対象物の画像を撮影するだけで所望するＷｅｂページやファイルにアクセスできるため容易に目的の情報を見ることができる。この際、画像の中に複数の接続コードが含まれていても、リンク情報が登録された有効な接続コードのみが認識されるため、ユーザは手間をかけることなく必要な情報に直接アクセスすることができる。
【００１１】
さらに接続コードの一覧表の中から接続コードを選択するような場合でも、大きさが可変できるクロスラインに合わせて接続コードを撮影することで目的の接続先を簡単に絞り込むことができるので、ユーザにとって利便性の良い情報提供が可能となる。
また電話番号も接続コードとして利用できるため、情報提供者は電話番号のみを印刷して提供することにより、電話番号としての連絡の他に電話番号に住所や地図などをリンク付けして提供することもできるようになる。
【図面の簡単な説明】
【００１２】
【図１】本発明の実施形態によるリンク情報提供方法を運用するリンク情報提供システムの構成を概略的に示す図である。
【図２】本発明の実施形態による接続コード管理表を示す図である。
【図３】本発明の実施形態による接続コードの認識方法を説明するための図である。
【図４】本発明の他の実施形態による接続コード管理表を示す図である。
【図５】本発明の実施形態による接続コードの利用例を示す図である。
【図６】本発明の実施形態による画像入力に基づくリンク情報提供方法を説明するためのフローチャートである。
【発明を実施するための形態】
【００１３】
次に、本発明に係るリンク情報提供方法を実施するための形態の具体例を、図面を参照しながら詳細に説明する。
図１は本発明の実施形態によるリンク情報提供方法を運用するリンク情報提供システムの構成を概略的に示す図である。
図１を参照すると、本発明の実施形態によるリンク情報提供システム１は、ネットワーク５を介して接続される情報リンク装置１０、ユーザ端末３０を含む。ここでネットワーク５はインターネットのような広域なネットワークである。
【００１４】
情報リンク装置１０は、特定のルールに従い配列された数字または文字の配列を含んで設定される接続コードと、情報を提供するためのＷｅｂページの接続先（ＵＲＬ）やファイルの保存先のアドレスなどのリンク情報を関連付けて保存し、ユーザ端末３０から送信される接続コードを含んで撮影された画像から文字認識により接続コードを抽出し、抽出した接続コードに関連付けられたリンク情報があるかどうかを判断し、リンク情報が関連付けられている場合に、そのリンク情報をユーザ端末３０に出力する装置である。
【００１５】
接続コードは例えば「Ｓ：１２３−４５６−７８９」のように「Ｓ：」で始まり３桁ずつの３つの数字をハイフンでつないだ固定フォーマットで定義されるリンクコードでもよいし、「ｈｔｔｐ：／／」で始まるＵＲＬでもよいし、局番から始まる電話番号でもよい。
またリンク情報はユーザに提供する情報の接続先であり、予めリストとして情報リンク装置１０に登録されていてもよいが、実施形態ではユーザに情報を提供したい情報提供者が、必要に応じて情報リンク装置１０に登録し、情報リンク装置１０は登録されたリンク情報をリストとして管理するようにする。このためリンク情報提供システム１は、情報提供者が情報リンク装置１０にリンク情報を登録するための情報提供端末２０をさらに含んでもよい。
【００１６】
ユーザはアプリケーションを起動して、接続コードが表示された書類や看板などのリアルオブジェクトを撮影するだけで、接続コードにリンク情報が関連付けられているかどうかが確認でき、関連付けられたリンク情報を使って必要な情報を入手することができる。
【００１７】
図１を参照すると、情報リンク装置１０は制御部１１、入出力部１２、記憶部１３、表示部１４、接続コード管理部１５、リンク情報抽出部１６、及びＩＤ管理部１７を含む。
接続コード管理部１５は、リンク情報を関連付ける接続コードの発行と管理を行う。接続コードは特定のルールに従い設定されるが、上記のように様々な形態でありうる。そこで一実施形態では基本となる接続コードの形式を定め、基本となる接続コードに関連付けて他の接続コードを設定する。
具体的にはリンクコードを基本となる接続コードとして設定し、ＵＲＬや電話番号はリンクコードに関連付けられる接続コードとして設定する。これにより接続コード管理部１５は、３桁ずつの３つの数字、即ち実質９桁の数字を重複しないようにリンクコードを発行して管理し、それぞれのリンクコードに関連付けられる接続コードがある場合は、そのリンクコードに関連付けて保存することでリンクコードを基準とした接続コードの発行と管理を行うことができる。
【００１８】
発行した接続コードに登録されるリンク情報がある場合、接続コード管理部１５は基準となるリンクコードに関連付けてリンク情報を保存する。接続コード管理部１５は基準となるリンクコード、このリンクコードに関連付けられる他の接続コード、リンク情報を接続コード管理表として表形式にまとめて管理する。
【００１９】
一実施形態では、情報提供端末２０から接続コードの発行の要請が送信されると、接続コード管理部１５が新たな複数個のリンクコードを発行する。情報提供者は発行されたリンクコードの中から必要な数だけリンクコードを選択し、それぞれのリンクコードに関連付けるリンク情報を情報提供端末２０から送信する。接続コード管理部１５は受信したリンク情報をそれぞれのリンクコードに関連付けて保存する。
【００２０】
また他の実施形態では、接続コードはすべて「Ｓ：」で始まるというようにルール化してもよい。リンクコードは「Ｓ：」で始まると定義付けられているが、ＵＲＬや電話番号も先頭に「Ｓ：」を付けることで接続コードとして使用されることを明示する。接続コード管理部１５は「Ｓ：」で始まるそれぞれの接続コードに登録されるリンク情報を関連付けして保存する。
【００２１】
リンク情報抽出部１６は、ユーザ端末３０から送信される接続コードに対し、接続コード管理部１５が管理する接続コード管理表を検索して、受信した接続コードに関連付けられたリンク情報があるかどうかを判断し、関連付けられたリンク情報がある場合に関連付けられたリンク情報を抽出し、ユーザ端末３０に送信する。
【００２２】
ユーザ端末３０から送信される接続コードは、接続コードを含んで撮影された画像でもよく、画像の場合、リンク情報抽出部１６は、受信した画像から文字認識により接続コードを文字として抽出し、抽出した接続コードに対して関連付けられたリンク情報があるかどうかを判断し、関連付けられたリンク情報がある場合に関連付けられたリンク情報を抽出し、ユーザ端末３０に送信する。
【００２３】
実施形態では情報リンク装置１０は、ユーザ端末３０にアプリケーションを提供し、アプリケーションは起動すると、ユーザの選択に応じユーザ端末３０にカメラ入力ボタンを含む接続コード入力画面を表示させ、ユーザがカメラ入力ボタンを選択すると、ユーザ端末３０のレンズを通して入力される画像に撮影ボタンを重ね合わせて表示させるとともに縦線と横線からなるクロスラインを重ね合わせて表示させる。そこでユーザが接続コードを含むように対象物（リアルオブジェクト）を撮影すると、クロスラインを含んだ画像がユーザ端末３０に取得され、その画像が情報リンク装置１０に送信される。
【００２４】
そのため、リンク情報抽出部１６は、画像に含まれる接続コードの内、クロスラインに少なくとも一部がかかる接続コードを抽出する。更に抽出した接続コードの内、リンク情報が関連付けられた有効な接続コードのみを抽出し、関連付けられたリンク情報をユーザ端末３０に送信する。複数の接続コードが含まれた対象物でも、ユーザはクロスラインを活用して必要な接続コードを絞り込み、効率よく必要な情報を入手することができる。
【００２５】
ユーザ端末３０から送信される接続コードが文字情報の場合でも画像の場合でも、関連付けられたリンク情報がある場合に関連付けられたリンク情報が抽出され、ユーザ端末３０に送信されるが、アプリケーション実行中のユーザ端末３０では受信したリンク情報を一度表示画面に表示することをせずに、リンク情報の示す接続先からＷｅｂページの情報やファイルを取得して表示画面に表示するようにしてもよい。
【００２６】
入出力部１２は、ネットワーク５を介してユーザ端末３０や情報提供端末２０との間でデータの授受を行う。このため入出力部１２は、通信手段を有する。
記憶部１３は、接続コード管理表などの各種データや、ユーザ端末３０に提供するアプリケーションプログラム、情報リンク装置１０自身を制御する制御プログラムなどを保存する。記憶部１３は、ハードディスクや半導体メモリなどにより具現化される。
【００２７】
表示部１４は、情報リンク装置１０の操作画面や、必要により接続コード管理表などの保存データや制御プログラムなどの表示を行う。
制御部１１は制御プログラムに従い、情報リンク装置１０の動作を制御し、各構成要素が上記の機能を果たすよう制御する。
【００２８】
図１を参照すると、ユーザ端末３０は、制御部３１、入出力部３２、記憶部３３、表示部３４、及び画像取得部３５を含む。
ユーザ端末３０は、対象物に表示された接続コードを文字データとして、または接続コードが含まれる画像を取得してその画像データを情報リンク装置１０に送信し、情報リンク装置１０から接続コードに関連付けられたリンク情報を取得して、その接続先から必要な情報を取得して表示する。
【００２９】
入出力部３２は、情報リンク装置１０とのデータ授受を行い、そのための通信手段を有する。またユーザ端末３０に接続コードを入力するための文字入力手段も有する。
記憶部３３は、入力した接続コードを一時保存したり、情報リンク装置１０からリンク情報を取得するためのアプリケーションやユーザ端末自身を制御する制御プログラムを保存したりする。記憶部３３は半導体メモリにより具現される。
【００３０】
表示部３４は、リンク情報またはリンク情報にアクセスして取得される情報を表示する。表示部３４は液晶ディスプレイや有機ＥＬディスプレイなどの表示デバイスで具現化される。
画像取得部３５は、接続コードが含まれる画像を取得する。
ユーザ端末３０は、パーソナルコンピュータ、タブレット端末、スマートフォンなどで具現化され、画像取得部３５はこれらの機器に内蔵されるカメラにて具現化される。
【００３１】
リンク情報提供システム１が情報提供端末２０を含む場合、情報提供端末２０の基本構成はユーザ端末３０と同様でよく、情報提供端末２０もパーソナルコンピュータ、タブレット端末、スマートフォンなどで具現化される。ただし、情報提供端末２０は接続コードが含まれる画像を取得する必要がないため、画像取得のためのカメラは含まなくてもよい。
【００３２】
図２は本発明の実施形態による接続コード管理表を示す図である。
図２を参照すると、接続コード管理表２００は接続コード欄２１０とリンク情報欄２２０とを含む。図２の接続コード管理表２００はリンクコードを基本となる接続コードとして管理する実施形態を示す。
【００３３】
情報提供者はリンク情報を登録するために、情報提供端末２０から接続コードの発行を要請する。
情報提供端末２０からの接続コードの発行の要請に対応して、情報リンク装置１０の接続コード管理部１５は、複数個のリンクコードを発行する。図２では基本となる接続コードとしてリンクコード１欄２３０にあるように「Ｓ：１２３−４００−１００」〜「Ｓ：１２３−４００−１０６」の７個が発行されたことを示すが、発行するリンクコードの数はこれに限らず任意の設定数でよい。情報提供者はこの中からリンク情報の数に応じて関連付けるリンクコードを選択してリンク情報を登録するが、相互に関連の強い一連の情報を提供する場合、例えば同じ説明文の日本語版、英語版、中国語版を登録する場合、複数のリンクコードは情報提供者の要求により階層構造化することができる。
【００３４】
図２の接続コード管理表２００のリンクコード２欄２４０はリンクコード１欄２３０の中から「Ｓ：１２３−４００−１０２」〜「Ｓ：１２３−４００−１０４」を階層構造化した結果を示し、階層構造化された場合、ユーザは代表となるリンクコード「Ｓ：１２３−４００−１０２」を入力した後、枝番「０」、「１」、または「２」の入力のみで「Ｓ：１２３−４００−１０２」〜「Ｓ：１２３−４００−１０４」のリンクコードを切り替えて利用することができる。
枝番を含めて対象物に「Ｓ：１２３−４００−１０２−１」のように表示された場合でも、ユーザはこの表示を含む画像を撮影することでリンク情報を入手することができる。
【００３５】
接続コード管理表２００にはＵＲＬ欄２５０、電話番号欄２６０が設けられ、情報提供端末２０からの登録依頼により、リンクコードにＵＲＬや電話番号を接続コードとして登録することができる。
リンク情報欄２２０にはＵＲＬ欄２７０とファイル収納場所欄２８０が設けられ、リンクコード１欄に表示されたリンクコードに関連付けられるリンク情報が登録される。
【００３６】
例えば「Ｓ：１２３−４００−１００」には関連する接続コードとしてＵＲＬ：「ｈｔｔｐ／／ｗｗｗ．ａｂｃ・・・」と電話番号：「０３−１２３４−・・・」が登録され、リンク情報としてＵＲＬ：「ｈｔｔｐ／／ｗｗｗ．ａｂｃ・・・」が登録されている。この場合、対象物に表示する接続コードは「Ｓ：１２３−４００−１００」でも「ｈｔｔｐ／／ｗｗｗ．ａｂｃ・・・」でも「０３−１２３４−・・・」でもよく、いずれの場合もユーザ端末３０でアプリケーションを起動して接続コードを含んで撮影して画像を取得することで、この画像は情報リンク装置１０に送信され、情報リンク装置１０で文字認識により接続コードが抽出された後、接続コード管理表２００を検索して関連付けられたリンク情報「ｈｔｔｐ／／ｗｗｗ．ａｂｃ・・・」が抽出されユーザ端末３０に出力される。
【００３７】
リンクコード「Ｓ：１２３−４００−１００」では関連される接続コードとしてのＵＲＬとリンク情報としてのＵＲＬが同じ場合を示した。即ちこの場合、ユーザはＵＲＬを手入力で「ｈｔｔｐ／／ｗｗｗ．ａｂｃ・・・」と入力しても、このＵＲＬの画像を取得して送信しても同じ「ｈｔｔｐ／／ｗｗｗ．ａｂｃ・・・」で示されるＵＲＬのＷｅｂページにアクセスすることになり、この場合、接続コードとリンク情報は同じものである。
【００３８】
一方、図２の「Ｓ：１２３−４００−１０２」の場合のように接続コードとしてのＵＲＬとリンク情報としてのＵＲＬは異なってもよく、この例ではユーザはＵＲＬを手入力で「ｈｔｔｐ／／ｗｗｗ．ＸＹＺ・・・」と入力した場合はこのＵＲＬが示すＷｅｂページにアクセスすることになるが、「ｈｔｔｐ／／ｗｗｗ．ＸＹＺ・・・」を画像として取得すると、情報リンク装置１０によりリンク情報として「ｈｔｔｐ／／ｗｗｗ．ｘｙｚ・・・」が出力されるためアクセスするＷｅｂページは手入力の場合と異なるものとなる。
【００３９】
また発行されたリンクコードは、すべてリンク情報が関連付けられているとは限らない。図２では「Ｓ：１２３−４００−１０６」は発行されたもののまだリンク情報が関連付けられていない。このようにリンク情報がまだ関連付けられていない、またはリンク情報が登録されたものの、その後削除されたリンクコード即ち有効でないリンクコードは、ユーザ端末で画像として取得されてもリンク情報を出力できない。このような場合情報リンク装置１０は文字認識によりリンクコードを抽出しても無視するか、ユーザ端末に取得したリンクコードは無効であることを出力する。
このように画像の中に複数の接続コードが含まれていても、有効な接続コードのみが抽出されるので、ユーザは効率よく目的の情報を取得することができる。
【００４０】
図３は本発明の実施形態による接続コードの認識方法を説明するための図である。
図３（ａ）〜（ｃ）はアプリケーション実行中のユーザ端末３０の表示画面を示す。
図３（ａ）は接続コード入力モードが選択され、接続コード入力画面３００が表示された状態を示す。接続コードにはリンクコード、ＵＲＬ、電話番号があり得るが、接続コード入力画面３００はリンクコードの入力画面を示す。
【００４１】
図３（ａ）を参照すると、接続コード入力画面３００にはリンクコードを入力するためのテンキー３２０と、入力された数字を表示する入力表示欄３１０が含まれる。ユーザは３桁ずつの３つの数字を入力すると、入力した数字は「Ｓ：」と組み合わされて接続コードとして情報リンク装置１０に送信され、接続コードが有効であれば、情報リンク装置１０から接続コードに関連付けられたリンク情報がユーザ端末３０に送信される。
また接続コード入力画面３００にはカメラ入力ボタン３３０が含まれる。数字だけとはいえ、９つの数字の入力には手間がかかる上、入力ミスも起きやすい。そこでユーザはカメラ入力ボタン３３０を選択して撮影により接続コードを入力するモードを選択することができる。
【００４２】
図３（ｂ）はカメラ入力ボタン３３０が選択された後の撮影モード画面３４０を示す。撮影モード画面３４０にはユーザ端末のカメラのレンズを通して入力される画像が表示される。図３（ｂ）を参照すると、撮影モード画面３４０には撮影ボタン３５０とクロスライン３６０がレンズを通して入力される画像に重ね合わせて表示される。
実施形態ではユーザ端末３０の表示画面はタッチパネルであり、ユーザは対象物に表示される接続コード３７０を少なくとも一部がクロスライン３６０にかかるように表示した状態で撮影ボタン３５０にタッチすることで、接続コード３７０を含む画像が取得される。その画像が情報リンク装置１０に送信されて文字認識により画像から接続コードが抽出され、接続コードが有効であれば、情報リンク装置１０から接続コードに関連付けられたリンク情報がユーザ端末３０に送信される。
【００４３】
図３（ｃ）は複数の接続コードが近接して対象物に表示される場合の撮影モード画面３４０を示す。図３（ｃ）を参照すると、「Ｓ：１２３−４００−１０１」、「Ｓ：１２３−４００−１０２」、「Ｓ：１２３−４００−１０６」の３つの接続コードが表示されている。これらの接続コードは図２に示した接続コード管理表２００に登録されたものである。
【００４４】
図３（ｃ）のように「Ｓ：１２３−４００−１０１」と「Ｓ：１２３−４００−１０６」の２つの接続コードがクロスライン３６０にかかった状態で撮影ボタン３５０がタッチされると、３つの接続コードを含む画像がユーザ端末３０に取り込まれる。取り込まれた画像は、情報リンク装置１０に送信される。情報リンク装置１０では、先ず文字認識によりクロスライン３６０にかかる「Ｓ：１２３−４００−１０１」と「Ｓ：１２３−４００−１０６」の２つの接続コードのみを抽出する。次いで接続コード管理表２００を検索するが、「Ｓ：１２３−４００−１０６」は関連するリンク情報が登録されていないため無視され、「Ｓ：１２３−４００−１０１」に関連付けられた「Ｃ：Ｕｓｅｒｓ￥Ｄｏｃ・・・」のリンク情報が抽出され、ユーザ端末３０に送信される。
このように複数の接続コードが表示されていても、クロスラインにかかる有効な接続コードのみが抽出されることで効率的に情報が得られる。
【００４５】
ここでは、クロスライン３６０にかかる２つの接続コードの内１つが関連するリンク情報が登録されていないため、結果的に有効な１つの接続コードが抽出される例を示したが、クロスライン３６０にかかる複数の接続コードが画像として取り込まれ、少なくとも２つが有効な接続コードである場合、情報リンク装置１０は有効な接続コードに関連付けられたリンク情報を全てユーザ端末３０に送信し、いずれかを選択するための画面をユーザ端末に表示させる。ユーザが所望するリンク情報を選択するとリンク情報の示す接続先から情報が取得されユーザ端末３０の表示画面に表示される。
【００４６】
このように複数の接続コードをまとめて選択することが便利なこともあるし、選択の手間が増える分不便なこともある。
そこでユーザが意図的に接続コードの選択範囲を絞れるように、実施形態ではクロスライン３６０の少なくとも縦線又な横線の長さが可変できる。このため、例えば接続コードを索引のようにまとめた一覧表から特定の接続コードに的を絞って情報を入手したい場合、ユーザはクロスライン３６０を短くすることで選択範囲を絞ることができる。
【００４７】
図４は、本発明の他の実施形態による接続コード管理表を示す図である。
図４を参照すると、接続コード管理表４００は接続コード欄４１０とリンク情報欄４２０とを含む。接続コード管理表４００が図２の接続コード管理表２００と異なるのは、基本となる接続コードは設定せず、接続コードとして使用するリンクコード、ＵＲＬ、及び電話番号はいずれも「Ｓ：」で始まるというようにルール化している点である。このため１つのリンク情報が関連付けられる接続コードはリンクコード、ＵＲＬ、及び電話番号のうちのいずれか１つである。
リンク情報欄４２０に含まれるＵＲＬ欄４３０とファイル収納場所欄４４０に関しては、接続コード管理表２００のＵＲＬ欄２７０、ファイル収納場所欄２８０と変わらない。
【００４８】
この実施形態では、接続コードには全て先頭に「Ｓ：」が付くので、対象物にこれらの接続コードが表示されていた場合、リンクコードはもとより、ＵＲＬでも電話番号でも接続コードとして使用されていることが容易に把握できる。
こうした接続コードがユーザ端末３０から送信された場合、情報リンク装置１０は、文字情報の接続コードの場合はそのまま、接続コードを含む画像の場合は文字認識により接続コードを抽出した後、接続コード管理表４００を検索して、受信した接続コードに関連付けられたリンク情報があるかどうかを判断し、関連付けられたリンク情報がある場合に関連付けられたリンク情報を抽出し、ユーザ端末３０に送信する。
【００４９】
図５は本発明の実施形態による接続コードの利用例を示す図である。
図５を参照すると、名刺５００に電話番号を使用した接続コード５１０が印刷されている。
この名刺５００を受け取ったユーザは、図５（ａ）のようにユーザ端末３０の電話モード表示画面５２０にて電話番号を入力して電話をかけることができる。またユーザは図５（ｂ）〜（ｄ）に示すように接続コードの機能を使用して接続コード５１０に関連付けられる情報を入手することができる。
【００５０】
まず図５（ｂ）のようにユーザ端末３０で接続コード入力画面５３０を表示してカメラ入力ボタン５４０を選択した後、図５（ｃ）に示すようにレンズを通して入力される画像５５０でクロスライン５７０にかかるように接続コード５１０を位置合わせして撮影ボタン５６０をタッチする。これにより接続コード５１０を含む画像が取り込まれ、この画像は情報リンク装置１０に送られる。情報リンク装置１０では接続コード５１０に関連付けられたリンク情報が抽出され、ユーザ端末３０に送信される。例えばリンク情報の示す接続先に地図情報が設定されている場合、ユーザ端末３０にはその地図情報５８０が表示される。
このように電話番号を接続コードとして使用することで、本来の電話番号としての意味以外に付加的な情報を併せて提供することができる。
【００５１】
ここでは図４の接続コード管理表４００に基づき「Ｓ：」で始まる電話番号を名刺に印刷する例を示したが、図２の接続コード管理表２００に基づき、電話番号のみを名刺に印刷してもよい。「Ｓ：」がつかないため接続コードとして使用されているかどうかは見ただけでは判断できないが、電話番号を含むように画像を取得して送信することで接続コード管理表２００を検索してリンク情報を抽出することが可能である。
【００５２】
図６は、本発明の実施形態による画像入力に基づくリンク情報提供方法を説明するためのフローチャートである。
図６を参照すると、ユーザがユーザ端末３０にて、アプリケーションを実行して接続コード入力モードを選択するのに対応して、ユーザ端末３０はカメラ入力ボタンを含む接続コード入力画面を表示する（段階Ｓ６００）。
【００５３】
ついで段階Ｓ６１０で、ユーザ端末３０はカメラ入力ボタンが選択されたかどうかを判断し、カメラ入力ボタンが選択された場合は、段階Ｓ６２０でレンズを通して入力される画像に撮影ボタンを重ね合わせて表示画面に表示する。一実施形態ではレンズを通して入力される画像の中から特定の接続コードを選択できるように縦線と横線からなるクロスラインをさらに重ね合わせて表示する。これによりクロスラインにかかる接続コードのみを抽出できるようになり、画像内に接続コードが複数含まれる場合でも不必要な接続コードは抽出の対象にしないようにすることができる。またクロスラインの縦線、横線の長さは可変としてもよい。クロスラインの縦線、横線の長さを短くすることで選択する接続コードの絞り込みが更にやりやすくなる。
【００５４】
ユーザ端末３０は段階Ｓ６３０で撮影ボタンが選択されたかどうかを判断し、撮影ボタンが選択されると段階Ｓ６４０で接続コードが含まれる画像を取り込み、情報リンク装置１０に送信する。
情報リンク装置１０は、段階Ｓ６５０にて受信した画像の文字認識を行い、接続コードを抽出する。画像がクロスラインを含む場合、情報リンク装置１０は、クロスラインにかかる接続コードのみの抽出を行うため、文字認識を行う範囲が限定され、情報リンク装置１０の負荷を減らし処理時間を短縮することができる。
【００５５】
次に段階Ｓ６６０で、情報リンク装置１０は、接続コード管理表を検索し、抽出した接続コードに関連付けられたリンク情報が登録されているかどうかを判断する（段階Ｓ６７０）。リンク情報が登録されている場合はそのリンク情報を抽出してユーザ端末３０に送信する。この時段階Ｓ６４０で取得された画像に、クロスラインにかかる複数の接続コードが含まれ、そのうちの少なくとも２つが関連付けられたリンク情報が登録された有効な接続コードの場合は、情報リンク装置１０は有効な接続コードに関連付けられたリンク情報を全てユーザ端末３０に送信し、いずれかを選択するための画面をユーザ端末に表示させる。
【００５６】
段階Ｓ６７０で抽出した接続コードに関連付けられたリンク情報が登録されていないと判断した場合、情報リンク装置１０は、取り込んだ画像に含まれる接続コードが無効であることを示す無効情報をユーザ端末３０に送信する。
【００５７】
以上のように本発明によるリンク情報提供方法によれば、ユーザはユーザ端末で接続コードを含む画像を撮影するだけで、その接続コードに関連付けられたリンク情報、若しくはそのリンク情報の示す接続先のＷｅｂページやファイルの情報を直接に取得することができる。また情報提供者にとっても、本来の意味を持つＵＲＬや電話番号も予めリンク情報を関連付けて接続コードとして登録することで、名刺などの対象物に表示したＷｅｂページの接続先や電話番号に加えて付加的に関連情報を提供でき、ユーザは容易に関連情報を活用することができ、情報提供者にとってもユーザにとっても使い勝手の良いリンク情報提供方法となっている。
【００５８】
以上、本発明の実施形態について図面を参照しながら詳細に説明したが、本発明は、上述の実施形態に限定されるものではなく、本発明の技術的範囲から逸脱しない範囲内で多様に変更することが可能である。
【符号の説明】
【００５９】
１    リンク情報提供システム
５    ネットワーク
１０    情報リンク装置
１１、２１、３１    制御部
１２、２２、３２    入出力部
１３、２３、３３    記憶部
１４、２４、３４    表示部
１５    接続コード管理部
１６    リンク情報抽出部
１７    ＩＤ管理部
２０    情報提供端末
３０    ユーザ端末
３５    画像取得部
２００、４００    接続コード管理表
２１０、４１０    接続コード欄
２２０、４２０    リンク情報欄
３００    接続コード入力画面
３３０、５４０    カメラ入力ボタン
３４０    撮影モード画面
３５０、５６０    撮影ボタン
３６０、５７０    クロスライン
５１０    接続コード
５８０    地図情報
【図１】
2019021064.tif 000003
【図２】
2019021064.tif 000004
【図３】
2019021064.tif 000005
【図４】
2019021064.tif 000006
【図５】
2019021064.tif 000007
【図６】
2019021064.tif 000008